【手続補正書】
【提出日】平成16年11月26日(2004.11.26)
【手続補正１】
【補正対象書類名】明細書
【補正対象項目名】発明の名称
【補正方法】変更
【補正の内容】
【発明の名称】ネットワーク制御装置、情報処理装置、情報処理方法、ネットワーク制御方法及びプログラム
【手続補正２】
【補正対象書類名】明細書
【補正対象項目名】特許請求の範囲
【補正方法】変更
【補正の内容】
【特許請求の範囲】
【請求項１】
ネットワーク上に存在するサービス提供装置を検出する検出手段と、
当該検出手段により検出されたサービス提供装置のうちから任意のサービス提供装置を選択させ、且つ、当該選択されたサービス提供装置におけるサービス実行内容を指定させるための情報を生成する生成手段と、
外部装置の要求に応じて、当該生成手段により生成された情報を当該外部装置に送信する送信手段とを有することを特徴とするネットワーク制御装置。
【請求項２】
前記外部装置上において指定されたサービス内容に基づいて、該当するサービス提供装置に対して当該サービス内容に応じたサービスを実行させるサービス制御手段を有することを特徴とする請求項１記載のネットワーク制御装置。
【請求項３】
前記検出手段は、ネットワーク上に存在するサービス提供装置を検出する際に各サービス提供装置の属性情報を取得し、前記サービス制御手段は、前記サービス提供装置の属性情報に基づき、前記サービス内容により処理されるべきデータを前記サービス提供装置が処理し得るデータ形式に変換し、当該変換後のデータを前記サービス提供装置に送信することを特徴とする請求項２記載のネットワーク制御装置。
【請求項４】
ネットワーク上に存在するサービス提供装置を検出する検出手段と、
当該検出手段により検出されたサービス提供装置のうちから任意のサービス提供装置を選択させ、且つ、当該選択されたサービス提供装置におけるサービス実行内容を指定させるための情報を生成する生成手段とを有する外部装置に対して、当該情報を要求する要求手段と、
当該外部装置から当該情報を受信する受信手段とを有することを特徴とする情報処理装置。
【請求項５】
前記受信手段により受信した前記情報より所望のサービス提供装置を選択し、且つ当該選択したサービス提供装置にて実行させるサービス内容を指定するサービス指定手段と、
前記外部装置が当該指定されたサービス内容を当該選択されたサービス提供装置に実行させるために、当該サービス指定手段にて選択されたサービス提供装置情報及び指定されたサービス内容情報を前記外部装置に対して送信する送信手段とを有することを特徴とする請求項４記載の情報処理装置。
【請求項６】
前記外部装置を検出し、前記外部装置から前記情報を取得するためのプログラムを予め記録する記録手段を有し、
前記要求手段は、当該記録手段により記録されるプログラムに基づいて前記外部装置に対して前記情報の要求を行うことを特徴とする請求項４記載の情報処理装置。
【請求項７】
ネットワーク上に存在するサービス提供装置を検出する検出ステップと、
当該検出ステップにより検出されたサービス提供装置のうちから任意のサービス提供装置を選択させ、且つ、当該選択されたサービス提供装置におけるサービス実行内容を指定させるための情報を生成する生成ステップと、
外部装置の要求に応じて、当該生成ステップにより生成された情報を当該外部装置に送信する送信ステップとを有することを特徴とするネットワーク制御方法。
【請求項８】
ネットワーク上に存在するサービス提供装置を検出する検出ステップと、
当該検出ステップにより検出されたサービス提供装置のうちから任意のサービス提供装置を選択させ、且つ、当該選択されたサービス提供装置におけるサービス実行内容を指定させるための情報を生成する生成ステップとを有する外部装置に対して、当該情報を要求する要求ステップと、
当該外部装置から当該情報を受信する受信ステップとを有することを特徴とするネットワーク制御方法。
【請求項９】
請求項１〜３の何れか１項に記載のネットワーク制御装置、又は、請求項４〜６の何れか１項に記載の情報処理装置の各手段としてコンピュータを機能させるためのプログラム。
【請求項１０】
請求項７又は８に記載のネットワーク制御方法の処理ステップをコンピュータに実行させるためのプログラム。
【請求項１１】
ネットワークに存在する、所定のサービスを提供するサービス提供装置を検出する検出手段と、
検出されたサービス提供装置のうち任意のサービス装置をユーザに選択させ、サービスを実行するのに必要な内容をユーザに入力させる画面が記述された情報を生成する生成手段と、
生成された情報を外部装置に送信する送信手段とを有することを特徴とする情報処理装置。
【請求項１２】
ネットワークに存在する、所定のサービスを提供するサービス提供装置を検出する検出ステップと、
検出されたサービス提供装置のうち任意のサービス提供装置をユーザに選択させ、サービスを実行するのに必要な内容をユーザに入力させる画面が記述された情報を生成する生成ステップと、
生成された情報を外部装置に送信する送信ステップとを有することを特徴とする情報処理方法。
【請求項１３】
ユーザが選択したサービス提供装置に、ユーザが入力した内容に基づいたサービスを実行させる実行ステップを有することを特徴とする請求項１２に記載の情報処理方法。
【請求項１４】
検出されたサービス提供装置の属性情報を取得する取得ステップと、
取得された属性情報に基づき、サービスを実行するときに処理されるデータをサービス提供装置が処理し得るデータに変換する変換ステップと、
変換後のデータをサービス提供装置に送信するデータ送信ステップとを有することを特徴とする請求項１２に記載の情報処理方法。
【請求項１５】
前記生成ステップでは、検出されたプリンタのうち任意のプリンタをユーザに選択させ、印刷を所望するドキュメントデータをユーザに指定させる画面が記述された情報が生成されることを特徴とする請求項１２に記載の情報処理方法。
【請求項１６】
生成された情報は、外部装置からのサービス提供装置を検索する要求に応じて、送信されることを特徴とする請求項１２に記載の情報処理方法。
【請求項１７】
コンピュータを制御するためのプログラムであって、
ネットワークに存在する、所定のサービスを提供するサービス提供装置を検出する検出ステップと、
検出されたサービス提供装置のうち任意のサービス提供装置をユーザに選択させ、サービスを実行するのに必要な内容をユーザに入力させる画面が記述された情報を生成する生成ステップと、
生成された情報を外部装置に送信する送信ステップとをコンピュータに実行させるためのプログラム。
【請求項１８】
ネットワークに存在するプリンタを検出する検出手段と、
検出されたプリンタのうち任意のプリンタをユーザに選択させ、印刷を所望するドキュメントデータをユーザに指定させるための画面をウェブブラウザに表示させる情報を生成する生成手段と、
生成された情報を外部装置に送信する送信手段とを有することを特徴とする情報処理装置。
【請求項１９】
ネットワークに存在するプリンタを検出する検出ステップと、
検出されたプリンタのうち任意のプリンタをユーザに選択させ、印刷を所望するドキュメントデータをユーザに指定させるための画面をウェブブラウザに表示させる情報を生成する生成ステップと、
生成された情報を外部装置に送信する送信ステップとを有することを特徴とする情報処理方法。
【請求項２０】
コンピュータを制御するためのプログラムであって、
ネットワークに存在するプリンタを検出する検出ステップと、
検出されたプリンタのうち任意のプリンタをユーザに選択させ、印刷を所望するドキュメントデータをユーザに指定させるための画面をウェブブラウザに表示させる情報を生成する生成ステップと、
生成された情報を外部装置に送信する送信ステップとをコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、ネットワーク上のプリンタ等のサービス提供装置を活用するための各種設定作業を不要にするネットワーク制御装置、情報処理装置、情報処理方法、ネットワーク制御方法及びプログラムに関するものである。
【手続補正４】
【補正対象書類名】明細書
【補正対象項目名】０００７
【補正方法】変更
【補正の内容】
【０００７】
【課題を解決するための手段】
本発明のネットワーク制御装置は、ネットワーク上に存在するサービス提供装置を検出する検出手段と、当該検出手段により検出されたサービス提供装置のうちから任意のサービス提供装置を選択させ、且つ、当該選択されたサービス提供装置におけるサービス実行内容を指定させるための情報を生成する生成手段と、外部装置の要求に応じて、当該生成手段により生成された情報を当該外部装置に送信する送信手段とを有することを特徴とする。
【手続補正５】
【補正対象書類名】明細書
【補正対象項目名】０００８
【補正方法】変更
【補正の内容】
【０００８】
本発明の情報処理装置は、ネットワーク上に存在するサービス提供装置を検出する検出手段と、当該検出手段により検出されたサービス提供装置のうちから任意のサービス提供装置を選択させ、且つ、当該選択されたサービス提供装置におけるサービス実行内容を指定させるための情報を生成する生成手段とを有する外部装置に対して、当該情報を要求する要求手段と、当該外部装置から当該情報を受信する受信手段とを有することを特徴とする。
【手続補正６】
【補正対象書類名】明細書
【補正対象項目名】０００９
【補正方法】変更
【補正の内容】
【０００９】
本発明のネットワーク制御方法は、ネットワーク上に存在するサービス提供装置を検出する検出ステップと、当該検出ステップにより検出されたサービス提供装置のうちから任意のサービス提供装置を選択させ、且つ、当該選択されたサービス提供装置におけるサービス実行内容を指定させるための情報を生成する生成ステップと、外部装置の要求に応じて、当該生成ステップにより生成された情報を当該外部装置に送信する送信ステップとを有することを特徴とする。
【手続補正７】
【補正対象書類名】明細書
【補正対象項目名】００１０
【補正方法】変更
【補正の内容】
【００１０】
本発明のネットワーク制御方法は、ネットワーク上に存在するサービス提供装置を検出する検出ステップと、当該検出ステップにより検出されたサービス提供装置のうちから任意のサービス提供装置を選択させ、且つ、当該選択されたサービス提供装置におけるサービス実行内容を指定させるための情報を生成する生成ステップとを有する外部装置に対して、当該情報を要求する要求ステップと、当該外部装置から当該情報を受信する受信ステップとを有することを特徴とする。
【手続補正８】
【補正対象書類名】明細書
【補正対象項目名】００１１
【補正方法】変更
【補正の内容】
【００１１】
本発明のプログラムは、前記ネットワーク制御装置、又は、前記情報処理装置の各手段としてコンピュータを機能させることを特徴とする。
【手続補正９】
【補正対象書類名】明細書
【補正対象項目名】００１２
【補正方法】変更
【補正の内容】
【００１２】
本発明のプログラムは、前記ネットワーク制御方法の処理ステップをコンピュータに実行させることを特徴とする。
【手続補正１０】
【補正対象書類名】明細書
【補正対象項目名】００１３
【補正方法】変更
【補正の内容】
【００１３】
本発明の情報処理装置は、ネットワークに存在する、所定のサービスを提供するサービス提供装置を検出する検出手段と、検出されたサービス提供装置のうち任意のサービス装置をユーザに選択させ、サービスを実行するのに必要な内容をユーザに入力させる画面が記述された情報を生成する生成手段と、生成された情報を外部装置に送信する送信手段とを有することを特徴とする。
【手続補正１１】
【補正対象書類名】明細書
【補正対象項目名】００１４
【補正方法】変更
【補正の内容】
【００１４】
本発明の情報処理方法は、ネットワークに存在する、所定のサービスを提供するサービス提供装置を検出する検出ステップと、検出されたサービス提供装置のうち任意のサービス提供装置をユーザに選択させ、サービスを実行するのに必要な内容をユーザに入力させる画面が記述された情報を生成する生成ステップと、生成された情報を外部装置に送信する送信ステップとを有することを特徴とする。
【手続補正１２】
【補正対象書類名】明細書
【補正対象項目名】００１５
【補正方法】変更
【補正の内容】
【００１５】
本発明のプログラムは、コンピュータを制御するためのプログラムであって、ネットワークに存在する、所定のサービスを提供するサービス提供装置を検出する検出ステップと、検出されたサービス提供装置のうち任意のサービス提供装置をユーザに選択させ、サービスを実行するのに必要な内容をユーザに入力させる画面が記述された情報を生成する生成ステップと、生成された情報を外部装置に送信する送信ステップとをコンピュータに実行させることを特徴とする。
【手続補正１３】
【補正対象書類名】明細書
【補正対象項目名】００１６
【補正方法】変更
【補正の内容】
【００１６】
本発明の情報処理装置は、ネットワークに存在するプリンタを検出する検出手段と、検出されたプリンタのうち任意のプリンタをユーザに選択させ、印刷を所望するドキュメントデータをユーザに指定させるための画面をウェブブラウザに表示させる情報を生成する生成手段と、生成された情報を外部装置に送信する送信手段とを有することを特徴とする。
【手続補正１４】
【補正対象書類名】明細書
【補正対象項目名】００１７
【補正方法】変更
【補正の内容】
【００１７】
本発明の情報処理方法は、ネットワークに存在するプリンタを検出する検出ステップと、検出されたプリンタのうち任意のプリンタをユーザに選択させ、印刷を所望するドキュメントデータをユーザに指定させるための画面をウェブブラウザに表示させる情報を生成する生成ステップと、生成された情報を外部装置に送信する送信ステップとを有することを特徴とする。
【手続補正１５】
【補正対象書類名】明細書
【補正対象項目名】００１８
【補正方法】変更
【補正の内容】
【００１８】
本発明のプログラムは、コンピュータを制御するためのプログラムであって、ネットワークに存在するプリンタを検出する検出ステップと、検出されたプリンタのうち任意のプリンタをユーザに選択させ、印刷を所望するドキュメントデータをユーザに指定させるための画面をウェブブラウザに表示させる情報を生成する生成ステップと、生成された情報を外部装置に送信する送信ステップとをコンピュータに実行させることを特徴とする。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】